(57)【要約】【課題】バッテリモジュールにおいて、セル積層体を絶縁しつつ、結露水を排水可能な技術を提供する。【解決手段】前後方向に複数のセル２１を積層して構成され、前面、後面、左面、右面、上面、及び下面を有するセル積層体２と、該セル積層体２の下面に配置されるシート状の第３絶縁部材７と、を備えるバッテリモジュール１であって、第３絶縁部材７は、前後方向において、第３絶縁部材７の一端部から他端部まで延びるシート溝部７１ａを有する。【選択図】図３
2019075245.tif 000002
【特許請求の範囲】
【請求項１】
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第６面に配置されるシート状の絶縁部材と、を備えるバッテリモジュールであって、
前記絶縁部材は、前記第１方向において、前記絶縁部材の一端部から他端部まで延びるシート溝部を有する、バッテリモジュール。
【請求項２】
請求項１に記載のバッテリモジュールであって、
前記セル積層体の前記第６面には、前記絶縁部材を挟んでベースプレートが設けられ、
前記ベースプレートは、前記セル積層体の前記第６面に対向する面に前記シート溝部を収容するプレート溝部を有する、バッテリモジュール。
【請求項３】
請求項１又は２に記載のバッテリモジュールであって、
前記絶縁部材は、前記セル積層体の前記第６面に配置されるシートベース部と、前記第２方向における該シートベース部の両端部から前記セル積層体の前記第３面及び前記第４面に沿って延びる一対の第１シート延出部と、を有する、バッテリモジュール。
【請求項４】
請求項１〜３のいずれかに記載のバッテリモジュールであって、
前記セル積層体の前記第６面には、前記絶縁部材を挟んでベースプレートが設けられ、
前記ベースプレートは、
前記セル積層体の前記第６面に沿って延びるベースプレート本体と、
該ベースプレート本体の前記第２方向における両端部から前記セル積層体の前記第３面及び前記第４面に沿って前記第３方向に突出し、且つ前記第１方向に沿って延びるガイド部と、を有し、
前記絶縁部材は、
前記セル積層体の前記第６面に配置されるシートベース部と、
該シートベース部の前記第２方向における両端部から前記セル積層体の前記第３面及び前記第４面に沿って延びる一対の第１シート延出部と、を有し、
前記第１シート延出部は、それぞれ前記セル積層体に向かって突出する複数の突出部を有し、
前記セル積層体は、前記第２方向において前記突出部を挟んで前記ガイド部によって保持され、
前記第２方向において前記セル積層体の一方では、前記セル積層体と前記ガイド部との間に中空部が形成され、
前記第２方向において前記セル積層体の他方では、前記セル積層体と前記ガイド部との間に中実部が形成される、バッテリモジュール。
【請求項５】
請求項１〜３のいずれかに記載のバッテリモジュールであって、
前記セル積層体の前記第６面には、前記絶縁部材を挟んでベースプレートが設けられ、
前記ベースプレートは、
前記セル積層体の前記第６面に沿って延びるベースプレート本体と、
該ベースプレート本体の前記第２方向における両端部から前記セル積層体の前記第３面及び前記第４面に沿って前記第３方向に突出し、且つ前記第１方向に沿って延びるガイド部と、を有し、
前記絶縁部材は、
前記セル積層体の前記第６面に配置されるシートベース部と、
該シートベース部の前記第２方向における両端部から前記セル積層体の前記第３面及び前記第４面に沿って一対の第１シート延出部と、を有し、
前記第１シート延出部は、それぞれ前記セル積層体に向かって突出する複数の突出部を有し、
前記セル積層体は、前記第２方向において前記突出部を挟んで前記ガイド部によって保持され、
前記第２方向において前記セル積層体の一方では、前記第１方向において前記セル積層体と前記ガイド部との間に中空部と中実部とが交互に形成され、
前記第２方向において前記セル積層体の他方では、前記第１方向において前記セル積層体と前記ガイド部との間に前記中実部と前記中空部とが交互に形成される、バッテリモジュール。
【請求項６】
請求項３に記載のバッテリモジュールであって、
前記バッテリモジュールは、
該セル積層体の前記第１面及び前記第２面に配置される一対のエンドプレートと、
前記セル積層体の前記第３面及び前記第４面に配置される一対の連結フレームと、
該セル積層体の前記第６面に前記絶縁部材を挟んで配置されるベースプレートと、をさらに備え、
前記連結フレームは、それぞれ前記ベースプレートの前記第６面に沿って互いに近づく方向に延びる第１フランジ部と、前記セル積層体の前記第５面に沿って互いに近づく方向に延びる第２フランジ部と、を有し、
前記絶縁部材は、前記第１シート延出部の端部から前記セル積層体の前記第５面に沿って互いに近づく方向に延びる第２シート延出部を有し、
前記第１フランジ部及び前記第２フランジ部は、前記シートベース部及び前記第２シート延出部を介して前記セル積層体及び前記ベースプレートを挟持し、
前記第１シート延出部は、前記第２方向において前記セル積層体の外側に膨出するとともに前記第１方向において前記絶縁部材の一端部から他端部まで延びるシート湾曲部を有する、バッテリモジュール。
【請求項７】
請求項６に記載のバッテリモジュールであって、
前記シート湾曲部は、前記第２方向において前記連結フレームの内側に位置する、バッテリモジュール。
【請求項８】
請求項１〜７のいずれか１項に記載のバッテリモジュールであって、
前記絶縁部材は、
前記セル積層体の前記第６面に配置されるシートベース部と、
該シートベース部の前記第２方向における両端部から前記セル積層体の前記第３面及び前記第４面に沿って延びる第１シート延出部と、
該第１シート延出部の端部から前記セル積層体の前記第５面に沿って互いに近づく方向に延びる第２シート延出部と、を有し、
前記第１シート延出部は、前記第１方向において前記絶縁部材の一端部から他端部まで延びるシート薄肉部を有する、バッテリモジュール。
【発明の詳細な説明】
【技術分野】
【０００１】
本発明は、電動車両などに搭載されるバッテリモジュールに関する。
【背景技術】
【０００２】
従来より電動車両などにはバッテリモジュールが搭載されている。例えば、特許文献１には、セル積層体と、該セル積層体の積層方向両端部に配置される一対のエンドプレートと、該一対のエンドプレートを連結するラダーフレームと、を備えるバッテリモジュールが開示されている。
【０００３】
この種のバッテリモジュールでは、セル間に絶縁部材を配置するだけでなく、セル積層体の外面に絶縁部材を配置することで、セルとエンドプレートとの間や、セルとラダーフレームとの間の通電を防止している。
【先行技術文献】
【特許文献】
【０００４】
【特許文献１】特開２０１２−２５６４６６号公報
【発明の概要】
【発明が解決しようとする課題】
【０００５】
しかしながら、セル積層体の外面に絶縁部材を配置した場合、結露水がセル積層体と絶縁部材との間の空間に溜り、バッテリモジュールの性能や耐久性に悪影響を及ぼす虞があった。
【０００６】
本発明は、バッテリモジュールにおいて、セル積層体を絶縁しつつ、結露水を排水可能な技術を提供することにある。
【課題を解決するための手段】
【０００７】
本発明の一態様は、
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第６面に配置されるシート状の絶縁部材と、を備えるバッテリモジュールであって、
前記絶縁部材は、前記第１方向において、前記絶縁部材の一端部から他端部まで延びるシート溝部を有する。
【発明の効果】
【０００８】
上記態様によれば、セル積層体の第６面に配置されるシート状の絶縁部材は、第１方向において、絶縁部材の一端部から他端部まで延びるシート溝部を有するので、セル積層体の第６面を絶縁しつつ、セル積層体と絶縁部材との間の空間に溜まろうとする結露水をシート溝部で第１方向に誘導し、該空間から排水することができる。また、絶縁部材は、シート溝部によって第２方向の変形が容易になるので、セルと絶縁部材の寸法公差を吸収できる。
【図面の簡単な説明】
【０００９】
【図１】本発明の一実施形態に係るバッテリモジュールの斜視図である。
【図２】図１のバッテリモジュールの分解斜視図である。
【図３】第３絶縁部材の組み付け時における図１のバッテリモジュールを正面から見た断面図である。
【図４】第３絶縁部材の組み付け後における図１のバッテリモジュールを正面から見た断面図である。
【図５】第１シート延出部の突出部の一例を示す図１のバッテリモジュールの平面断面図である。
【図６】第１シート延出部の突出部の他の例を示す図１のバッテリモジュールの平面断面図である。
【発明を実施するための形態】
【００１０】
以下、本発明のバッテリモジュールの一実施形態を、添付図面に基づいて説明する。なお、図面は符号の向きに見るものとする。
【００１１】
［バッテリモジュール］
図１に示すように、本発明の一実施形態に係るバッテリモジュール１は、前後方向に複数のセル２１を積層して構成され、前面、後面、左面、右面、上面、及び下面を有するセル積層体２と、セル積層体２の前面及び後面に配置される一対のエンドプレート３と、一対のエンドプレート３を連結するフレーム４と、を備え、フレーム４は、セル積層体２の右面に配置される右サイドフレーム５Ｒと、セル積層体２の左面に配置される左サイドフレーム５Ｌと、セル積層体２の下面に配置されるロアプレート６と、を備える。
【００１２】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００１３】
（セル積層体）
図１及び図２に示すように、セル積層体２は、複数のセル２１と複数の第１絶縁部材２２を前後方向に交互に積層して構成される。セル積層体２の前面及び後面には、それぞれ第２絶縁部材２３を介した絶縁状態で一対のエンドプレート３が配置され、セル積層体２の下面には、第３絶縁部材７を介した絶縁状態でロアプレート６が配置され、セル積層体２の左面及び右面には、第３絶縁部材７を介した絶縁状態で右サイドフレーム５Ｒ及び左サイドフレーム５Ｌが配置される。なお、第３絶縁部材７の詳細は後述する。
【００１４】
セル積層体２の上面には、セル２１の端子２１ａに電気的に接続される複数のバスバーが配置される。バスバーには、隣接するセル２１の端子２１ａ同士を接続するためのバスバー２４（図５及び図６参照）と、セル２１の端子２１ａを外部接続用の端子（図示せず）に接続するためのバスバー（図示せず）とが含まれ、複数のセル２１は、バスバー２４を介して一体化される。
【００１５】
（エンドプレート）
図１及び図２に示すように、一対のエンドプレート３は、それぞれ第２絶縁部材２３を介してセル積層体２の前面及び後面に当接し、セル積層体２のセル積層方向の荷重（以下、適宜セル厚拘束反力ともいう。）を受け止める。セル積層体２のセル積層方向の荷重は、主に温度変化や経年劣化によるセル２１の膨張に起因するものであり、セル２１の前面及び後面では、その左右方向中央部及び上下方向中央部が膨張しやすいため、エンドプレート３の左右方向中央部及び上下方向中央部に大きな荷重が入力される。
【００１６】
エンドプレート３は、アルミ押出材を用いて形成されており、左右方向において中央領域に形成される中央エンドプレート部３１と、左右方向において中央エンドプレート部３１を挟むように形成される左エンドプレート部３２Ｌ及び右エンドプレート部３２Ｒと、を有する。セル積層体２からセル積層方向の大きな荷重を受ける中央エンドプレート部３１は、その前後方向の幅が左エンドプレート部３２Ｌ及び右エンドプレート部３２Ｒの前後方向の幅よりも大きくなっている。また、左エンドプレート部３２Ｌ及び右エンドプレート部３２Ｒの外側の面には、左サイドフレーム５Ｌ又は右サイドフレーム５ＲとボルトＢ１を介して締結される複数の締結部３２ａが設けられる。
【００１７】
（サイドフレーム）
図１、図２及び図４に示すように、左サイドフレーム５Ｌ及び右サイドフレーム５Ｒは、金属板材をプレス加工して形成されており、セル積層体２の左面又は右面に沿うサイドフレーム本体５１と、サイドフレーム本体５１の前端から前側のエンドプレート３の前面に沿って互いに近づく方向に延びる前フランジ部５２Ｆと、サイドフレーム本体５１の後端から後側のエンドプレート３の後面に沿って互いに近づく方向に延びる後フランジ部５２Ｒと、サイドフレーム本体５１の上端からセル積層体２の上面に沿って互いに近づく方向に延びる上フランジ部５３と、サイドフレーム本体５１の下端からセル積層体２（ロアプレート６）の下面に沿って互いに近づく方向に延びる下フランジ部５４と、を備える。
【００１８】
前フランジ部５２Ｆ及び後フランジ部５２Ｒには、前側のエンドプレート３又は後側のエンドプレート３にボルトＢ１を介して締結される複数の締結部５２ａが設けられる。締結部５２ａは、ボルトＢ１が挿通される丸孔を有し、該丸孔に挿通したボルトＢ１を前側のエンドプレート３又は後側のエンドプレート３の締結部３２ａにねじ込むことで、前フランジ部５２Ｆ及び後フランジ部５２Ｒが前側のエンドプレート３又は後側のエンドプレート３に締結される。これにより、一対のエンドプレート３は、左サイドフレーム５Ｌ及び右サイドフレーム５Ｒを介して連結される。
【００１９】
上フランジ部５３と下フランジ部５４は、セル積層体２の左端部及び右端部においてセル積層体２及びロアプレート６を上下方向から挟持している。これにより、セル積層体２、左サイドフレーム５Ｌ、右サイドフレーム５Ｒ及びロアプレート６の上下方向の相対位置変動が抑制されるとともに、セル積層体２を構成する複数のセル２１を整列させることができる。
【００２０】
上フランジ部５３は、弾性を有しており、上下方向の弾性変形が許容される。これにより、右サイドフレーム５Ｒ及び左サイドフレーム５Ｌをセル積層体２及びロアプレート６に対し左右方向から取り付ける際、上フランジ部５３が弾性変形することで取り付けが容易になるとともに、上フランジ部５３と下フランジ部５４との間でセル積層体２を弾性的に挟み込み、耐振性を向上させることができる。
【００２１】
上フランジ部５３は、前後方向に並ぶ複数の弾性片５３ａにより構成されており、弾性片５３ａの個数及び位置は、前後方向に積層されるセル２１の個数及び位置に対応している。これにより、上フランジ部５３は、適度な弾性を有しつつ、複数のセル２１を個別に弾性保持できる。
【００２２】
なお、本実施形態の右サイドフレーム５Ｒ及び左サイドフレーム５Ｌでは、上フランジ部５３がサイドフレーム本体５１と一体にプレス成形されているが、上フランジ部５３をサイドフレーム本体５１と別体でプレス成形した後、溶接やカシメによってサイドフレーム本体５１と一体化してもよい。
【００２３】
下フランジ部５４には、ロアプレート６にボルトＢ２を介して留められる複数の被留部５４ａが設けられる。右サイドフレーム５Ｒの下フランジ部５４に設けられる被留部５４ａは、左方向に開口する切欠部であり、左サイドフレーム５Ｌの下フランジ部５４に設けられる被留部５４ａは、右方向に開口する切欠部である。これにより、ボルトＢ２をロアプレート６に仮止めした状態で右サイドフレーム５Ｒ及び左サイドフレーム５Ｌを左右方向から装着することができる。
【００２４】
（ロアプレート）
図１〜図４に示すように、ロアプレート６は、アルミ押出材を用いて形成されており、セル積層体２及びエンドプレート３の下面に沿って延びるロアプレート本体６１と、バッテリモジュール１を支持するモジュール支持構造体（図示せず）に固定される複数の固定部６２と、ロアプレート本体６１の左右両端部から上方に突出し、且つ前後方向に沿って延びるガイド部６３と、ロアプレート本体６１の下面に凹設される温調デバイス収容部６４と、ロアプレート本体６１の上面に形成される複数のプレート溝部６５と、ボルトＢ２を介して下フランジ部５４の被留部５４ａが留められる複数の留部６６と、を備える。
【００２５】
固定部６２は、平面視長方形であるロアプレート本体６１の四隅に設けられ、ボルト等の固定具を介してモジュール支持構造体に固定される。本実施形態では、前側のエンドプレート３の前方及び後側のエンドプレート３の後方にロアプレート６の固定部６２を配置するにあたり、中央エンドプレート部３１に比べて前後方向の幅が小さい左エンドプレート部３２Ｌ及び右エンドプレート部３２Ｒと左右方向においてオーバーラップする位置にロアプレート６の固定部６２を配置している。これにより、固定部６２を設けるためのロアプレート６の長さを短くでき、バッテリモジュール１の前後方向の長さを短くできる。
【００２６】
ガイド部６３は、セル積層体２の左右側面に沿うように、ロアプレート本体６１の左右両端部から上方に突出し、且つ前後方向に沿って延びる。これにより、セル２１の左右方向の位置をガイド部６３によって位置決めできるだけでなく、セル２１の左右方向の振動をガイド部６３によって抑制し、耐振性を向上させることができる。
【００２７】
ロアプレート本体６１は、アルミ押出材を用いて形成され、且つセル積層体２の下面と近接して配置されることにより、セル積層体２の熱を伝熱して放熱する放熱部材としても機能している。また、本実施形態のロアプレート本体６１は、下面に温調デバイス収容部６４が凹設されているので、バッテリモジュール１の上下寸法を抑制しつつ、ロアプレート本体６１の下方に温調デバイス（図示せず）を配置し、セル積層体２の温度を制御することができる。
【００２８】
プレート溝部６５は、ロアプレート本体６１の上面左右両端部において前後方向に延びる凹溝からなり、ロアプレート本体６１の上面と第３絶縁部材７との間の空間に溜まろうとする結露水を前後方向に誘導し、該空間から排水する。なお、プレート溝部６５と第３絶縁部材７との関係については後述する。
【００２９】
複数の留部６６は、ロアプレート本体６１の左右両端部に前後方向に所定の間隔を介して複数形成される。本実施形態の留部６６は、ロアプレート本体６１を上下方向に貫通するねじ孔であり、下方からねじ込まれるボルトＢ２を介して右サイドフレーム５Ｒ及び左サイドフレーム５Ｌの被留部５４ａが留められる。
【００３０】
（第３絶縁部材）
図２〜図４に示すように、第３絶縁部材７は、樹脂などの絶縁材料でシート状に形成されており、セル積層体２の下面に配置されるシートベース部７１と、左右方向におけるシートベース部７１の両端部からセル積層体２の左面及び右面に沿って上方且つ前後方向に延びる一対の第１シート延出部７２と、第１シート延出部７２の上端部からセル積層体２の上面に沿って互いに近づく方向に延びる第２シート延出部７３と、を備える。このような第３絶縁部材７によれば、１枚の第３絶縁部材７でセル積層体２の下面、左面、右面及び上面を絶縁できる。また、右サイドフレーム５Ｒ及び左サイドフレーム５Ｌの上フランジ部５３は、第２シート延出部７３を介してセル積層体２を弾性的に押圧するので、第２シート延出部７３とセル積層体２との密着性、シートベース部７１とセル積層体２との密着性、シートベース部７１とロアプレート６との密着性などが高められる。
【００３１】
図２及び図３に示すように、シートベース部７１は、左右方向両側に、前後方向において、第３絶縁部材７の一端部から他端部まで延びる複数のシート溝部７１ａを有する。このような第３絶縁部材７によれば、セル積層体２の下面を絶縁しつつ、セル積層体２と第３絶縁部材７との間の空間に溜まろうとする結露水をシート溝部７１ａで前後方向に誘導し、該空間から排水することができる。また、第３絶縁部材７は、シート溝部７１ａによって左右方向の変形が容易になり、セル２１と第３絶縁部材７の寸法公差を吸収できる。
【００３２】
シート溝部７１ａは、シートベース部７１の下面において下方に突出し、ロアプレート６のプレート溝部６５に収容される。したがって、シート溝部７１ａの排水機能をロアプレート６によって阻害されることがなく、さらにバッテリモジュール１の上下方向の寸法が抑制される。なお、本実施形態では、シート溝部７１ａ及びプレート溝部６５を２本としているが、シート溝部７１ａ及びプレート溝部６５の本数は、１本でもよいし、３本以上であってもよい。
【００３３】
図４に示すように、第１シート延出部７２は、左右方向においてセル積層体２の外側に膨出するとともに、前後方向において第３絶縁部材７の一端部から他端部まで延びるシート湾曲部７２ａを有する。このようなシート湾曲部７２ａによれば、第１シート延出部７２の上下方向の変形が容易になるので、セル２１と第３絶縁部材７の寸法公差を吸収できる。また、シート湾曲部７２ａは、左右方向において左サイドフレーム５Ｌ及び右サイドフレーム５Ｒの内側に位置するように形成されている。このようにすると、バッテリモジュール１の左右方向の寸法を抑制できる。
【００３４】
図２〜図４に示すように、第１シート延出部７２は、前後方向において第３絶縁部材７の一端部から他端部まで延びるシート薄肉部７２ｂを有する。図２及び図３に示すように、シート薄肉部７２ｂが形成された第１シート延出部７２は、曲げ強度が低下したシート薄肉部７２ｂを起点とし、第１シート延出部７２の上側が外方に折り曲げ可能となるので、第３絶縁部材７にセル積層体２を収容する際、第２シート延出部７３が邪魔になることを回避し、収容工程が容易になる。また、シート薄肉部７２ｂによって第１シート延出部７２の上下方向の変形が容易になるので、セル２１と第３絶縁部材７の寸法公差を吸収できる。
【００３５】
図３及び図５に示すように、第１シート延出部７２の下端部は、セル積層体２に向かって突出する複数の突出部７２ｃ、７２ｄを有する。セル積層体２は、左右方向において突出部７２ｃ、７２ｄを挟んでロアプレート６のガイド部６３によって保持される。このような突出部７２ｃ、７２ｄによれば、セル積層体２の組み付けに際し、左右方向の位置決めを行うことができる。
【００３６】
突出部７２ｃ、７２ｄには、セル積層体２とガイド部６３との間に中空部７２ｅを形成する第１突出部７２ｃと、セル積層体２とガイド部６３との間に中実部７２ｆを形成する第２突出部７２ｄと、が含まれる。図５に示すように、本実施形態では、左右方向においてセル積層体２の一方（右側）に第１突出部７２ｃが配置され、左右方向においてセル積層体２の他方（左側）に第２突出部７２ｄが配置されている。このようにすると、左右方向においてセル積層体２の一方（右側）では、セル積層体２とガイド部６３との間に中空部７２ｅが形成され、左右方向においてセル積層体２の他方（左側）では、セル積層体２とガイド部６３との間に中実部７２ｆが形成されるので、中空部７２ｅに比して剛性が高い中実部７２ｆによって、セル積層体２の左右方向における他方（左側）への移動を規制できる。
【００３７】
また、他の例として、図６に示すように、左右方向においてセル積層体２の一方（右側）では、前後方向においてセル積層体２とガイド部６３との間に中空部７２ｅと中実部７２ｆとが交互に形成され、左右方向においてセル積層体２の他方（左側）では、前後方向においてセル積層体２とガイド部６３との間に中実部７２ｆと中空部７２ｅとが交互に形成されていてもよい。一つのセルに着目すると、セル２１の左右方向における一方（右側）には中空部７２ｅが形成されるとともに、左右方向における他方（左側）には中実部７２ｆが形成され、隣接するセルは、左右方向における一方（右側）には中実部７２ｆが形成されるとともに、左右方向における他方（左側）には中空部７２ｅが形成される。
【００３８】
このようなバッテリモジュール１によれば、中空部７２ｅに比して剛性が高い中実部７２ｆによって、セル積層体２の左右方向における一方（右側）への移動が規制されるセル２１と、セル積層体２の左右方向における他方（左側）への移動が規制されるセル２１と、を前後方向において交互に並べた後、隣接するセル２１同士をバスバー２４で一体的に連結することで、セル積層体２の左右方向における一方（右側）及び他方（左側）への移動を規制できる。
【００３９】
なお、前述した実施形態は、適宜、変形、改良、等が可能である。例えば、第３絶縁部材７が有するシート溝部７１ａ、シート湾曲部７２ａ、シート薄肉部７２ｂなどの形成位置や形成数は適宜変更することができる。
【００４０】
［総括］
前述した実施形態からは、少なくとも以下の態様が抽出される。なお、括弧内には、上記した実施形態において対応する構成要素等を示しているが、これに限定されるものではない。
【００４１】
（１）  第１方向（前後方向）に複数のセル（セル２１）を積層して構成され、前記第１方向において一端側の面である第１面（前面）、前記第１方向において他端側の面である第２面（後面）、前記第１方向に直交する方向である第２方向（左右方向）において一端側の面である第３面（左面）、前記第２方向において他端側の面である第４面（右面）、前記第１方向及び前記第２方向に直交する第３方向（上下方向）において一端側の面である第５面（上面）、前記第３方向において他端側の面である第６面（下面）を有するセル積層体（セル積層体２）と、
該セル積層体の前記第６面に配置されるシート状の絶縁部材（例えば、後述の実施形態の第３絶縁部材７）と、を備えるバッテリモジュール（バッテリモジュール１）であって、
前記絶縁部材は、前記第１方向において、前記絶縁部材の一端部から他端部まで延びるシート溝部（シート溝部７１ａ）を有する。
【００４２】
（１）によれば、セル積層体の第６面に配置されるシート状の絶縁部材は、第１方向において、絶縁部材の一端部から他端部まで延びるシート溝部を有するので、セル積層体の第６面を絶縁しつつ、セル積層体と絶縁部材との間の空間に溜まろうとする結露水をシート溝部で第１方向に誘導し、該空間から排水することができる。また、絶縁部材は、シート溝部によって第２方向の変形が容易になるので、セルと絶縁部材の寸法公差を吸収できる。
【００４３】
（２）  （１）に記載のバッテリモジュールであって、
前記セル積層体の前記第６面には、前記絶縁部材を挟んでベースプレート（ロアプレート６）が設けられ、
前記ベースプレートは、前記セル積層体の前記第６面に対向する面に前記シート溝部を収容するプレート溝部（プレート溝部６５）を有する。
【００４４】
（２）によれば、セル積層体の第６面には、絶縁部材を挟んでベースプレートが設けられ、ベースプレートは、セル積層体の第６面に対向する面にシート溝部を収容するプレート溝部を有するので、絶縁部材とベースプレートとの間の空間に溜まろうとする結露水をプレート溝部で第１方向に誘導し、該空間から排水することができる。また、絶縁部材のシート溝部をベースプレートのプレート溝部に収容することで、シート溝部の排水機能を阻害することなく、さらにバッテリモジュールの第３方向の寸法を抑制できる。
【００４５】
（３）  （１）又は（２）に記載のバッテリモジュールであって、
前記絶縁部材は、前記セル積層体の前記第６面に配置されるシートベース部（シートベース部７１）と、前記第２方向における該シートベース部の両端部から前記セル積層体の前記第３面及び前記第４面に沿って延びる一対の第１シート延出部（第１シート延出部７２）と、を有する。
【００４６】
（３）によれば、絶縁部材は、セル積層体の第６面に配置されるシートベース部と、第２方向における該シートベース部の両端部からセル積層体の第３面及び第４面に沿って延びる一対の第１シート延出部と、を有するので、１枚の絶縁部材でセル積層体の第６面、第３面及び第４面の絶縁が可能になる。
【００４７】
（４）  （１）〜（３）のいずれかに記載のバッテリモジュールであって、
前記セル積層体の前記第６面には、前記絶縁部材を挟んでベースプレート（ロアプレート６）が設けられ、
前記ベースプレートは、
前記セル積層体の前記第６面に沿って延びるベースプレート本体（ロアプレート本体６１）と、
該ベースプレート本体の前記第２方向における両端部から前記セル積層体の前記第３面及び前記第４面に沿って前記第３方向に突出し、且つ前記第１方向に沿って延びるガイド部（ガイド部６３）と、を有し、
前記絶縁部材は、
前記セル積層体の前記第６面に配置されるシートベース部（シートベース部７１）と、
該シートベース部の前記第２方向における両端部から前記セル積層体の前記第３面及び前記第４面に沿って延びる一対の第１シート延出部（第１シート延出部７２）と、を有し、
前記第１シート延出部は、それぞれ前記セル積層体に向かって突出する複数の突出部（突出部７２ｃ、７２ｄ）を有し、
前記セル積層体は、前記第２方向において前記突出部を挟んで前記ガイド部によって保持され、
前記第２方向において前記セル積層体の一方では、前記セル積層体と前記ガイド部との間に中空部（中空部７２ｅ）が形成され、
前記第２方向において前記セル積層体の他方では、前記セル積層体と前記ガイド部との間に中実部（中実部７２ｆ）が形成される。
【００４８】
（４）によれば、セル積層体は、第２方向において絶縁部材の第１シート延出部に形成された突出部を挟んでベースプレートのガイド部によって保持されるので、セル積層体の組み付けに際し、第２方向の位置決めを行うことができる。また、第２方向においてセル積層体の一方では、セル積層体とガイド部との間に中空部が形成され、第２方向においてセル積層体の他方では、セル積層体とガイド部との間に中実部が形成されるので、中空部に比して剛性が高い中実部によって、セル積層体の第２方向における他方への移動を規制できる。
【００４９】
（５）  （１）〜（３）のいずれかに記載のバッテリモジュールであって、
前記セル積層体の前記第６面には、前記絶縁部材を挟んでベースプレート（ロアプレート６）が設けられ、
前記ベースプレートは、
前記セル積層体の前記第６面に沿って延びるベースプレート本体（ロアプレート本体６１）と、
該ベースプレート本体の前記第２方向における両端部から前記セル積層体の前記第３面及び前記第４面に沿って前記第３方向に突出し、且つ前記第１方向に沿って延びるガイド部（ガイド部６３）と、を有し、
前記絶縁部材は、
前記セル積層体の前記第６面に配置されるシートベース部（シートベース部７１）と、
該シートベース部の前記第２方向における両端部から前記セル積層体の前記第３面及び前記第４面に沿って延びる一対の第１シート延出部（第１シート延出部７２）と、を有し、
前記第１シート延出部は、それぞれ前記セル積層体に向かって突出する複数の突出部（突出部７２ｃ、７２ｄ）を有し、
前記セル積層体は、前記第２方向において前記突出部を挟んで前記ガイド部によって保持され、
前記第２方向において前記セル積層体の一方では、前記第１方向において前記セル積層体と前記ガイド部との間に中空部（中空部７２ｅ）と中実部（中実部７２ｆ）とが交互に形成され、
前記第２方向において前記セル積層体の他方では、前記第１方向において前記セル積層体と前記ガイド部との間に前記中実部と前記中空部とが交互に形成される。
【００５０】
（５）によれば、セル積層体は、第２方向において絶縁部材の第１シート延出部に形成された突出部を挟んでベースプレートのガイド部によって保持されるので、セル積層体の組み付けに際し、第２方向の位置決めを行うことができる。また、第２方向においてセル積層体の一方では、第１方向においてセル積層体とガイド部との間に中空部と中実部とが交互に形成され、第２方向においてセル積層体の他方では、第１方向においてセル積層体とガイド部との間に中実部と中空部とが交互に形成される。したがって、中空部に比して剛性が高い中実部によって、セル積層体の第２方向における一方への移動が規制されるセルと、セル積層体の第２方向における他方への移動が規制されるセルと、を第１方向において交互に並べることで、セル積層体の第２方向における一方及び他方への移動を規制できる。
【００５１】
（６）  （３）に記載のバッテリモジュールであって、
前記バッテリモジュールは、
該セル積層体の前記第１面及び前記第２面に配置される一対のエンドプレート（エンドプレート３）と、
前記セル積層体の前記第３面及び前記第４面に配置される一対の連結フレーム（左サイドフレーム５Ｌ、右サイドフレーム５Ｒ）と、
該セル積層体の前記第６面に前記絶縁部材を挟んで配置されるベースプレート（ロアプレート６）と、をさらに備え、
前記連結フレームは、それぞれ前記セル積層体の前記第６面に沿って互いに近づく方向に延びる第１フランジ部（下フランジ部５４）と、前記セル積層体の前記第５面に沿って互いに近づく方向に延びる第２フランジ部（上フランジ部５３）と、を有し、
前記絶縁部材は、前記第１シート延出部の端部から前記セル積層体の前記第５面に沿って互いに近づく方向に延びる第２シート延出部（第２シート延出部７３）を有し、
前記第１フランジ部及び前記第２フランジ部は、前記シートベース部及び前記第２シート延出部を介して前記セル積層体及び前記ベースプレートを挟持し、
前記第１シート延出部は、前記第２方向において前記セル積層体の外側に膨出するとともに、前記第１方向において前記絶縁部材の一端部から他端部まで延びるシート湾曲部（シート湾曲部７２ａ）を有する。
【００５２】
（６）によれば、連結フレームの第１フランジ部と第２フランジ部とによって、絶縁部材のシートベース部及び第２シート延出部を介してセル積層体及びベースプレートが挟持されるので、セル積層体の絶縁性を確保しながらセル積層体の第３方向のずれを抑制できる。また、絶縁部材の第１シート延出部は、第２方向においてセル積層体の外側に膨出するとともに第１方向において絶縁部材の一端部から他端部まで延びるシート湾曲部を有するので、シート湾曲部によって第１シート延出部の第３方向の変形が容易になるので、セルと絶縁部材の第３方向における寸法公差を吸収できる。
【００５３】
（７）  （６）に記載のバッテリモジュールであって、
前記シート湾曲部は、前記第２方向において前記連結フレームの内側に位置する。
【００５４】
（７）によれば、シート湾曲部は、第２方向において連結フレームの内側に位置するので、バッテリモジュールの第２方向の寸法を抑制できる。
【００５５】
（８）  （１）〜（７）のいずれかに記載のバッテリモジュールであって、
前記絶縁部材は、
前記セル積層体の前記第６面に配置されるシートベース部（シートベース部７１）と、
該シートベース部の前記第２方向における両端部から前記セル積層体の前記第３面及び前記第４面に沿って延びる第１シート延出部（第１シート延出部７２）と、
該第１シート延出部の端部から前記セル積層体の前記第５面に沿って互いに近づく方向に延びる第２シート延出部（第２シート延出部７３）と、を有し、
前記第１シート延出部は、前記第１方向において前記絶縁部材の一端部から他端部まで延びるシート薄肉部（シート薄肉部７２ｂ）を有する。
【００５６】
（８）によれば、絶縁部材の第１シート延出部は、第１方向において絶縁部材の一端部から他端部まで延びるシート薄肉部を有するので、第１シート延出部がシート薄肉部で折り曲げ可能となり、絶縁部材に対するセル積層体の収容工程が容易になる。
【符号の説明】
【００５７】
１  バッテリモジュール
２  セル積層体
２１  セル
３  エンドプレート
５Ｌ  左サイドフレーム
５Ｒ  右サイドフレーム
５３  上フランジ部（第２フランジ部）
５４  下フランジ部（第１フランジ部）
６  ロアプレート（ベースプレート）
６１  ロアプレート本体（ベースプレート本体）
６３  ガイド部
６５  プレート溝部
７，７Ｂ  第３絶縁部材
７１  シートベース部
７１ａ  シート溝部
７２  第１シート延出部
７２ａ  シート湾曲部
７２ｂ  シート薄肉部
７２ｃ  突出部
７２ｄ  突出部
７２ｅ  中空部
７２ｆ  中実部
７３  第２シート延出部
【図１】
2019075245.tif 000003
【図２】
2019075245.tif 000004
【図３】
2019075245.tif 000005
【図４】
2019075245.tif 000006
【図５】
2019075245.tif 000007
【図６】
2019075245.tif 000008